(57)【要約】      （修正有）【課題】身体健康効果・自然治癒力の増進・細胞や血液の浄化作用・抵抗力の増進作用・自立神経の調整作用・交換神経活性作用・皮膚病・肌の美白効果・細胞の活性化増進・等に役立つマイナスイオン発生が多い薄型協力マイナスイオン発生装置を提供する。【解決手段】黒曜石３とリンサンエン鉱物を微粉粉砕してセラミックスボール６又は、無数の穴を開けたセラミックス板を作成した。上記の強力マイナスイオンボールを使用した所、２０秒間で８０００個以上のマイナスイオンが測定できた。安価で取り付けが簡単、消耗率が０、半永久使用できる。【選択図】図１
2008173428.tif 000002
【特許請求の範囲】
【請求項１】
黒曜石とリンサンエン鉱物を、微粉砕混合特殊加工を行った、強力マイナスイオン発生イオンセラミックスポールの開発により、人体に良いコンパクトで類の無い強力マイナスイオン及び、遠赤外線を発生させて、黒曜石及び、トルマリン鉱石（イオン発生生成材）を持ちえた薄型強力マイナスイオン発生装置の開発である。
【請求項２】
黒曜石とリンサンエン鉱物を微粉粉砕に加工して、無数の穴を開けた板状又はボールに加工した物を８００度〜９００度に焼きセラミックス加工する事により画期的な強力マイナスイオン発生鉱石が開発された、水を使用した装飾製品関係、又は、噴水関係・金魚水槽関係・車内のエアー噴出し口・エアーコン関係数多く空気浄化関係等に取り付ける事ができる。
１例、（図１）（図３）のように薄型加工した製品を水槽の中に入れて置くと、今までの市販されて居るマイナスイオン発生装置の約１０倍以上のマイナスイオンが発生出来る開発である。
【請求項３】
今回開発した黒曜石イオンボールから出るマイナスイオンは１ボール（Φ１０ｍｍ）当り２７００個１ＣＣ（株式会社佐藤商事形式ＣＯＭ−３０１０ＰＲＯ使用）の測定が出ています。
図１、図３の薄型容器からマイナスイオン発生個数は上記の（株）佐藤商事会社の測定機で２０秒間、８０００個ＩＣＣ以上のマイナスイオンが発生する又、この製品は半永久使用ができる画期的な開発である。
【発明の詳細な説明】
【技術分野】
【０００１】  本発明は室内で水を使用する容器類又は、エアーコン関係・室内の装飾類関係、又、車内の空気清浄化類等、数多くの利用方法に持ちえる事が出来る、強力マイナスイオンが発生する画期的な開発である。
トルマリン鉱石・黒曜石・にリンサンエン鉱物に特殊加工を行ったイオンボール又は（穴開きイオン板）を使用しコンパクトで、遠赤外線・電磁波等で抗菌作用が発生し、強力マイナスイオンに依る心身の安らぎ、自然治癒力の増進、細胞や血液の浄化、抵抗力増進に役立つ開発である。
【背景技術】
【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが、マイナスイオン発生率が小量である。
【発明の開示】
【発明が解決しようとする課題】
【０００３】  本発明はこのような従来の問題点に着目してなされたものであり、黒曜石とリンサンエン鉱物を微粉粉砕してセラミックスボール又は、無数の穴を開けたセラミックス板を作成した、その穴を水または、空気が通過する事で、（株）佐藤商事形式マイナスイオン測定機の結果２０秒間に８０００個以上の画期的な強力マイナスイオンが出るセラミックス鉱石を作成に成功したのです。
【課題を解決するための手段】
【０００４】  本発明により塩素の含まれた水道水、又人体に与える有害水等を自動的に強力マイナスイオン・遠赤外線・抗菌作用を発生させて身体に良い水に変える事が出来る装置を長年の研究と実験で実証が出来た。【０００５】  強力マイナスイオン発生（図１）（図３）を上記の（株）佐藤商事の測定機では、２０秒間８０００個１ＣＣ以上のマイナスイオンが発生します。
（２）トルマリン鉱石（３）黒曜石を持ちえる事より、浄化されて、より強力マイナスイオンが、室内又は、車内等が活性化されるのです。
長野県和田峠産黒曜石とリンサンエン鉱物を微粉砕し、（６）特殊黒曜石セラミックスボール又は、無数の穴を開けたセラミックス板状から発生する装置はコンパクトで身体によい強力マイナスイオンである事が研究と体験で実証しました。
【発明の効果】
【０００６】  トルマリン鉱石は人体に効能効果がある石として世間で数多くの色々な方法で使用されている鉱石である。特にトルマリン鉱石を飲料水に多く使用されている又、鉱石を健康生活用品に使用する事により身体全体の活性化ができる。【０００７】黒曜石は昔から健康水として黒曜石を色々な方法で加工されて使用している。
特許出願者荻原大が開発した数多くのサウナ関係及び岩盤浴関係に関して黒曜石を使用した事は、類の無い開発である。
【発明を実施するための最良の形態】
【０００８】  使用する黒曜石は産地として有名な長野県和田峠産であり、その成分含有率の一例を表１に示す。
【表１】
2008173428.tif 000003
【表２】
2008173428.tif 000004
2008173428.tif 000005
【０００９】  マイナスイオンの効能効果は現代の人体に大変必要なイオンである。液体では水、人、動物、物など地球上の全ての物質は１０３個の原子の組み合わせによって成り立っている。人の場合、体を分離していくと胃や腸などの内臓や骨、皮膚などになり、それらをもっと小さくしていきますと細胞になる。
その細胞は原子から成り立っている、人は６５個の原子から成り立っていると言われています。真ん中に原子核があり、その外側に電子がある、原子核はプラスの電気、外側の電子はマイナス電気です。対に安定している状態が良いですが、何かしらのエネルギー（赤外線、電磁波、排気ガス、食物、ストレスなど）が加わると、マイナス電子が飛び出してしまいます。
この状態を不対電子（フリーラジカル）といい、酸化を引き起こしていく原因である。その人体にマイナス電子をプレゼントさせる、マイナスイオンは電子を持って行く粒子である。【００１０】  近代の文明生活には常に、マイナスイオ発生装置が必要である。
今回の開発はコンパクトでメンテナスが少なく、多量のマイナスイオンが水に含まれ又、空気に含まれて、呼吸によって身体を自然治癒力の増進を高め又、活性化されます。
この開発製品は、半永久に使用できます。
【符号の説明】
【００１２】１  外周容器。
２  トルマリン鉱石。
３  黒曜石。
４  内側の仕切り。
５  イオンボールの升籠。
６  強力マイナスイオン発生ボール。
７  上アミ蓋。
８  空間。
【図１】
2008173428.tif 000006
【図２】
2008173428.tif 000007
【図３】
2008173428.tif 000008
【図４】
2008173428.tif 000009
【手続補正書】
【提出日】平成19年3月9日(2007.3.9)
【手続補正１】
【補正対象書類名】明細書
【補正対象項目名】全文
【補正方法】変更
【補正の内容】
【発明の詳細な説明】
【技術分野】
【０００１】  本発明は室内で水を使用する容器類又は、エアーコン関係・室内の装飾類関係、又、車内の空気清浄化類等、数多くの利用方法に持ちえる事が出来る、強力マイナスイオンが発生する画期的な開発である。
トルマリン鉱石・黒曜石・にリンサンエン鉱物に特殊加工を行ったイオンボール又は（穴開きイオン板）を使用しコンパクトで、遠赤外線・電磁波等で抗菌作用が発生し、強力マイナスイオンに依る心身の安らぎ、自然治癒力の増進、細胞や血液の浄化、抵抗力増進に役立つ開発である。
【背景技術】
【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているが、マイナスイオン発生率が小量である。
【発明の開示】
【発明が解決しようとする課題】
【０００３】  本発明はこのような従来の問題点に着目してなされたものであり、黒曜石とリンサンエン鉱物を微粉粉砕してセラミックスボール又は、無数の穴を開けたセラミックス板を作成した、その穴を水または、空気が通過する事で、（（株）佐藤商事形式マイナスイオン測定機の結果１ｃｍリッポーから２０秒間に８０００個以上の画期的な強力マイナスイオンが出るセラミックス鉱石を開発したものです。
【課題を解決するための手段】
【０００４】  本発明により塩素の含まれた水道水、又人体に与える有害水等を自動的に強力マイナスイオン・遠赤外線・抗菌作用を発生させて身体に良い水に変える事が出来る装置を長年の研究と実験で実証が出来た。【０００５】  強力マイナスイオン発生（図１）（図３）を上記の（株）佐藤商事の測定機では、１ｃｍリッポーから２０秒間８０００個１ＣＣ以上のマイナスイオンが発生します。
（２）トルマリン鉱石（３）黒曜石を持ちえる事より、浄化されて、より強力マイナスイオンが、室内又は、車内等が活性化されるのです。
長野県和田峠産黒曜石とリンサンエン鉱物を微粉砕し、（６）特殊黒曜石セラミックスボール又は、無数の穴を開けたセラミックス板状から発生する装置はコンパクトで身体によい強力マイナスイオンである事が研究と体験で実証しました。
【発明の効果】
【０００６】  トルマリン鉱石は人体に効能効果がある石として世間で数多くの色々な方法で使用されている鉱石である。特にトルマリン鉱石を飲料水に多く使用されている又、鉱石を健康生活用品に使用する事により身体全体の活性化ができる。【０００７】黒曜石は昔から健康水として黒曜石を色々な方法で加工されて使用している。
特許出願者荻原大が開発した数多くのサウナ関係及び岩盤浴関係に関して黒曜石を使用した事は、類の無い開発である。
【発明を実施するための最良の形態】
【０００８】  使用する黒曜石は産地として有名な長野県和田峠産であり、その成分含有率の一例を表１に示す。
【表１】
2008173428.tif 000010
2008173428.tif 000011
【表２】
2008173428.tif 000012
【０００９】  マイナスイオンの効能効果は現代の人体に大変必要なイオンである。液体では水、人、動物、物など地球上の全ての物質は１０３個の原子の組み合わせによって成り立っている。人の場合、体を分離していくと胃や腸などの内臓や骨、皮膚などになり、それらをもっと小さくしていきますと細胞になる。
その細胞は原子から成り立っている、人は６５個の原子から成り立っていると言われています。真ん中に原子核があり、その外側に電子がある、原子核はプラスの電気、外側の電子はマイナス電気です。対に安定している状態が良いですが、何かしらのエネルギー（赤外線、電磁波、排気ガス、食物、ストレスなど）が加わると、マイナス電子が飛び出してしまいます。
この状態を不対電子（フリーラジカル）といい、酸化を引き起こしていく原因である。その人体にマイナス電子をプレゼントさせる、マイナスイオンは電子を持って行く粒子である。【００１０】  近代の文明生活には常に、マイナスイオ発生装置が必要である。
今回の開発はコンパクトでメンテナスが少なく、多量のマイナスイオンが水に含まれ又、空気に含まれて、呼吸によって身体を自然治癒力の増進を高め又、活性化されます。
この開発製品は、半永久に使用できます。
【図面の簡単な説明】
【００１１】
【図１】上蓋を外した中の平面図です。
【図２】横断面図です。
【図３】上蓋を外した中の平面図です。
【図４】横断面図です。
【符号の説明】
【００１２】１  外周容器。
２  トルマリン鉱石。
３  黒曜石。
４  内側の仕切り。
５  イオンボールの升籠。
６  強力マイナスイオン発生ボール。
７  上アミ蓋。
８  空間。